(57)【特許請求の範囲】
【請求項１】
画像の表示領域における視環境を把握する視環境把握手段による環境情報に基づき、目標色を再現できるように、前記画像を表示するために用いられる画像情報を変換して画像を表示する画像表示システムにおいて、
前記環境情報および順応変移を示す順応変移情報に基づき、前記目標色を示す目標色情報を補正する目標色情報補正手段と、
補正後の前記目標色情報に基づき、前記視環境および前記目標色に適合した画像が表示されるように、変換用マトリクスを生成するマトリクス生成手段と、
生成された変換用マトリクスに基づき、前記画像情報を変換するマトリクス変換手段と、
変換された画像情報に基づき、画像を表示する画像表示手段と、
を含み、
前記順応変移情報は、暗室条件での前記画像表示手段で表示可能な色域の面積と、前記視環境における前記画像表示手段で表示可能な色域の面積と、の比率に基づいて求められるものであることを特徴とする画像表示システム。
【請求項２】
請求項１において、
前記環境情報および前記補正後の目標色情報に基づき、前記視環境において前記画像表示手段で表示可能な色域である表示可能色域を演算する色域演算手段を含み、
前記マトリクス生成手段は、前記表示可能色域が、前記目標色の色域を示す目標色域より広い場合、前記目標色域より狭い場合、前記目標色域と一致する場合、前記目標色域と重なる部分と重ならない部分とがある場合のそれぞれの場合において、異なる変換用マトリクスを生成することを特徴とする画像表示システム。
【請求項３】
請求項２において、
前記マトリクス生成手段は、前記表示可能色域が、前記目標色域より狭い場合および前記目標色域と重なる部分と重ならない部分とがある場合、色相の再現性または色域の再現性を重視した変換用マトリクスを生成することを特徴とする画像表示システム。
【請求項４】
画像の表示領域における視環境を把握する視環境把握部による環境情報に基づき、目標色を再現できるように、前記画像を表示するために用いられる画像情報を変換して画像を表示する画像表示システムにおいて、
前記環境情報および順応変移を示す順応変移情報に基づき、前記目標色を示す目標色情報を補正する目標色情報補正部と、
補正後の前記目標色情報に基づき、前記視環境および前記目標色に適合した画像が表示されるように、変換用マトリクスを生成するマトリクス生成部と、
生成された変換用マトリクスに基づき、前記画像情報を変換するマトリクス変換部と、
変換された画像情報に基づき、画像を表示する画像表示部と、
を含み、
前記順応変移情報は、暗室条件での前記画像表示手段で表示可能な色域の面積と、前記視環境における前記画像表示手段で表示可能な色域の面積と、の比率に基づいて求められるものであることを特徴とする画像表示システム。
【請求項５】
画像の表示領域における視環境を把握する視環境把握手段による環境情報に基づき、目標色を再現できるように、前記画像を表示するために用いられる画像情報を変換して画像を投写するプロジェクタにおいて、
前記環境情報および順応変移を示す順応変移情報に基づき、前記目標色を示す目標色情報を補正する目標色情報補正手段と、
補正後の前記目標色情報に基づき、前記視環境および前記目標色に適合した画像が表示されるように、変換用マトリクスを生成するマトリクス生成手段と、
生成された変換用マトリクスに基づき、前記画像情報を変換するマトリクス変換手段と、
変換された画像情報に基づき、画像を投写する画像表示手段と、
を含み、
前記順応変移情報は、暗室条件での前記画像表示手段で表示可能な色域の面積と、前記視環境における前記画像表示手段で表示可能な色域の面積と、の比率に基づいて求められるものであることを特徴とするプロジェクタ。
【請求項６】
画像の表示領域における視環境を把握する視環境把握部による環境情報に基づき、目標色を再現できるように、前記画像を表示するために用いられる画像情報を変換して画像を投写するプロジェクタにおいて、
前記環境情報および順応変移を示す順応変移情報に基づき、前記目標色を示す目標色情報を補正する目標色情報補正部と、
補正後の前記目標色情報に基づき、前記視環境および前記目標色に適合した画像が表示されるように、変換用マトリクスを生成するマトリクス生成部と、
生成された変換用マトリクスに基づき、前記画像情報を変換するマトリクス変換部と、
変換された画像情報に基づき、画像を投写する画像表示部と、
を含み、
前記順応変移情報は、暗室条件での前記画像表示手段で表示可能な色域の面積と、前記視環境における前記画像表示手段で表示可能な色域の面積と、の比率に基づいて求められるものであることを特徴とするプロジェクタ。
【請求項７】
画像の表示領域における視環境を把握する視環境把握手段による環境情報に基づき、目標色を再現できるように、前記画像を表示するために用いられる画像情報を変換する画像処理方法において、
前記環境情報および順応変移を示す順応変移情報に基づき、前記目標色を示す目標色情報を補正し、
補正後の前記目標色情報に基づき、前記視環境および前記目標色に適合した画像が表示されるように、変換用マトリクスを生成し、
生成された変換用マトリクスに基づき、前記画像情報を変換し、
前記順応変移情報は、暗室条件での前記画像情報に基づいて画像を表示する画像表示手段で表示可能な色域の面積と、前記視環境における前記画像を表示する手段が表示可能な色域の面積と、の比率に基づいて求められるものであることを特徴とする画像処理方法。
【請求項８】
請求項７において、
前記変換用マトリクスを生成する場合、前記画像特性に基づく色域である目標色域を演算するとともに、前記環境情報に基づき、前記視環境において前記画像を表示する手段が表示可能な色域である表示可能色域を演算し、
前記表示可能色域が、前記目標色の色域を示す目標色域より広い場合、前記目標色域より狭い場合、前記目標色域と一致する場合、前記目標色域と重なる部分と重ならない部分とがある場合のそれぞれの場合において、異なる変換用マトリクスを生成することを特徴とする画像処理方法。
【請求項９】
請求項８において、
前記変換用マトリクスを生成する場合、前記表示可能色域が、前記目標色域より狭い場合および前記目標色域と重なる部分と重ならない部分とがある場合、色相の再現性または色域の再現性を重視した変換用マトリクスを生成することを特徴とする画像処理方法。
【請求項１０】
請求項９において、
前記画像情報の補正に先立って、キャリブレーション画像を生成し、
生成されたキャリブレーション画像を前記表示領域に表示し、
前記キャリブレーション画像の表示された表示領域における視環境を把握し、前記環境情報を生成することを特徴とする画像処理方法。
【請求項１１】
画像の表示領域における視環境を把握する視環境把握手段による環境情報に基づき、目標色を再現できるように、前記画像を表示するために用いられる画像情報を変換するためのプログラムを記憶したコンピュータ読み取り可能な情報記憶媒体であって、
コンピュータを、
前記環境情報および順応変移を示す順応変移情報に基づき、前記目標色を示す目標色情報を補正する目標色情報補正手段と、
補正後の前記目標色情報に基づき、前記視環境および前記目標色に適合した画像が表示されるように、変換用マトリクスを生成するマトリクス生成手段と、
生成された変換用マトリクスに基づき、前記画像情報を変換するマトリクス変換手段として機能させるためのプログラムを記憶し、
前記順応変移情報は、暗室条件での前記画像情報に基づいて画像を表示する画像表示手段で表示可能な色域の面積と、前記視環境における前記画像表示手段で表示可能な色域の面積と、の比率に基づいて求められるものであることを特徴とする情報記憶媒体。
【請求項１２】
請求項１１において、
前記環境情報および前記補正後の目標色情報に基づき、前記視環境において前記画像表示手段で表示可能な色域である表示可能色域を演算する色域演算手段としてコンピュータを機能させ、
前記マトリクス生成手段は、前記表示可能色域が、前記目標色の色域を示す目標色域より広い場合、前記目標色域より狭い場合、前記目標色域と一致する場合、前記目標色域と重なる部分と重ならない部分とがある場合のそれぞれの場合において、異なる変換用マトリクスを生成することを特徴とする情報記憶媒体。
【請求項１３】
請求項１２において、
前記マトリクス生成手段は、前記表示可能色域が、前記目標色域より狭い場合および前記目標色域と重なる部分と重ならない部分とがある場合、色相の再現性または色域の再現性を重視した変換用マトリクスを生成することを特徴とする情報記憶媒体。
【発明の詳細な説明】
【０００１】
【技術分野】
本発明は、環境適応型の画像表示システム、プロジェクタ、画像処理方法および情報記憶媒体に関する。
【０００２】
【背景技術】
ｓＲＧＢ等の画像種別やＮＴＳＣ等の画像表示方式に準拠した目標色と等価な画像の色の見えを再現できるように、ＣＭＳ（Color Management System）等の色変換システムが提案されている。
【０００３】
目標色に適合した画像の色を再現する場合には、環境光（照明光や日光等）等の影響を受けるため、画像表示システムは、視環境を考慮して画像情報を変換する必要がある。
【０００４】
しかし、人間の目はある環境にいる場合には徐々に当該環境に順応してしまうため、画像表示システムが、単に、視環境だけを考慮して画像情報を変換したのでは、目標色と等価な画像の色の見えを再現することは困難である。
【０００５】
さらに、画像表示システムは、目標色や視環境に応じて画像情報を変換する場合、変換に用いられる変換用情報を生成する必要がある。しかし、画像表示システムが、想定される目標色や視環境のすべてに対して変換用情報をあらかじめ記憶領域に記憶しておくことは記憶領域を圧迫してしまうことになる。
【０００６】
また、画像表示システムは、リアルタイムに生成される画像情報を、リアルタイムに変換する必要もある。
【０００７】
【発明の開示】
本発明は、上記の課題に鑑みなされたものであり、その目的は、目標色に適合した画像の色の見えを、より正確に再現できる環境適応型の画像表示システム、プロジェクタ、画像処理方法および情報記憶媒体を提供することにある。
【０００８】
（１）上記課題を解決するため、本発明に係る画像表示システムは、画像の表示領域における視環境を把握する視環境把握手段による環境情報に基づき、目標色を再現できるように、前記画像を表示するために用いられる画像情報を変換して画像を表示する画像表示システムにおいて、
前記環境情報および順応変移を示す順応変移情報に基づき、前記目標色を示す目標色情報を補正する目標色情報補正手段と、
補正後の前記目標色情報に基づき、前記視環境および前記目標色に適合した画像が表示されるように、変換用マトリクスを生成するマトリクス生成手段と、
生成された変換用マトリクスに基づき、前記画像情報を変換するマトリクス変換手段と、
変換された画像情報に基づき、画像を表示する画像表示手段と、
を含むことを特徴とする。
【０００９】
（２）また、本発明に係る画像表示システムは、画像の表示領域における視環境を把握する視環境把握部による環境情報に基づき、目標色を再現できるように、前記画像を表示するために用いられる画像情報を変換して画像を表示する画像表示システムにおいて、
前記環境情報および順応変移を示す順応変移情報に基づき、前記目標色を示す目標色情報を補正する目標色情報補正部と、
補正後の前記目標色情報に基づき、前記視環境および前記目標色に適合した画像が表示されるように、変換用マトリクスを生成するマトリクス生成部と、
生成された変換用マトリクスに基づき、前記画像情報を変換するマトリクス変換部と、
変換された画像情報に基づき、画像を表示する画像表示部と、
を含むことを特徴とする。
【００１０】
（３）また、本発明に係るプロジェクタは、画像の表示領域における視環境を把握する視環境把握手段による環境情報に基づき、目標色を再現できるように、前記画像を表示するために用いられる画像情報を変換して画像を投写するプロジェクタにおいて、
前記環境情報および順応変移を示す順応変移情報に基づき、前記目標色を示す目標色情報を補正する目標色情報補正手段と、
補正後の前記目標色情報に基づき、前記視環境および前記目標色に適合した画像が表示されるように、変換用マトリクスを生成するマトリクス生成手段と、
生成された変換用マトリクスに基づき、前記画像情報を変換するマトリクス変換手段と、
変換された画像情報に基づき、画像を投写する画像表示手段と、
を含むことを特徴とする。
【００１１】
（４）また、本発明に係るプロジェクタは、画像の表示領域における視環境を把握する視環境把握部による環境情報に基づき、目標色を再現できるように、前記画像を表示するために用いられる画像情報を変換して画像を投写するプロジェクタにおいて、
前記環境情報および順応変移を示す順応変移情報に基づき、前記目標色を示す目標色情報を補正する目標色情報補正部と、
補正後の前記目標色情報に基づき、前記視環境および前記目標色に適合した画像が表示されるように、変換用マトリクスを生成するマトリクス生成部と、
生成された変換用マトリクスに基づき、前記画像情報を変換するマトリクス変換部と、
変換された画像情報に基づき、画像を投写する画像表示部と、
を含むことを特徴とする。
【００１２】
（５）また、本発明に係る画像処理方法は、画像の表示領域における視環境を把握する視環境把握手段による環境情報に基づき、目標色を再現できるように、前記画像を表示するために用いられる画像情報を変換する画像処理方法において、
前記環境情報および順応変移を示す順応変移情報に基づき、前記目標色を示す目標色情報を補正し、
補正後の前記目標色情報に基づき、前記視環境および前記目標色に適合した画像が表示されるように、変換用マトリクスを生成し、
生成された変換用マトリクスに基づき、前記画像情報を変換することを特徴とする。
【００１３】
（６）また、本発明に係る情報記憶媒体は、画像の表示領域における視環境を把握する視環境把握手段による環境情報に基づき、目標色を再現できるように、前記画像を表示するために用いられる画像情報を変換するためのプログラムを記憶したコンピュータ読み取り可能な情報記憶媒体であって、
コンピュータを、
前記環境情報および順応変移を示す順応変移情報に基づき、前記目標色を示す目標色情報を補正する目標色情報補正手段と、
補正後の前記目標色情報に基づき、前記視環境および前記目標色に適合した画像が表示されるように、変換用マトリクスを生成するマトリクス生成手段と、
生成された変換用マトリクスに基づき、前記画像情報を変換するマトリクス変換手段として機能させるためのプログラムを記憶したことを特徴とする。
【００１４】
本発明によれば、画像表示システム等が、環境情報および順応変移情報に基づき、目標色情報を補正することにより、視環境と順応変移とに適合した目標色情報を色の変換に適用することができる。これにより、画像表示システム等は、目標色に適合した画像の色の見えを再現することができる。
【００１５】
なお、順応変移とは、初期状態から視環境の状態になった場合の人の目の順応の変化を示すものである。
【００１６】
また、本発明によれば、画像表示システム等は、変換用情報として変換用マトリクスを生成し、当該変換用マトリクスを用いて画像情報を変換することにより、変換用情報としてルックアップテーブル（以下「ＬＵＴ」という。）を用いる場合と比べ、より高速に変換でき、かつ、変換用情報による記憶領域の占有量を低減させることができる。
【００１７】
なお、ここで、目標色とは、例えば、ユーザーによって選択された、画像表示方式（例えば、ＮＴＳＣ、ＰＡＬ、ＳＥＣＡＭ等）や画像種別（例えば、ＲＧＢ、ｓＲＧＢ等）に準拠した理想的な色のことである。
【００１８】
（７）また、前記画像表示システムおよび前記プロジェクタにおいて、前記順応変移情報は、暗室条件での前記画像表示手段で表示可能な色域の面積と、前記視環境における前記画像表示手段で表示可能な色域の面積と、の比率に基づいて求められるものであってもよい。
【００１９】
（８）また、前記画像処理方法および前記情報記憶媒体において、前記順応変移情報は、暗室条件での前記画像情報に基づいて画像を表示する画像表示手段で表示可能な色域の面積と、前記視環境における前記画像表示手段で表示可能な色域の面積と、の比率に基づいて求められるものであってもよい。
【００２０】
これによれば、画像表示システム等は、順応変移を考慮した目標色情報の補正をより短時間に行うことができる。なぜなら、順応変移は、照明光等の影響が大きく、上記色域の面積も照明光等の影響を反映したものであり、画像表示システム等は、上記色域の面積の演算を短時間で行うことができ、当該演算を行うことにより擬似的に順応変移を演算結果に反映させることができるからである。
【００２１】
（９）また、前記画像表示システムおよび前記プロジェクタは、前記環境情報および前記補正後の目標色情報に基づき、前記視環境において前記画像表示手段で表示可能な色域である表示可能色域を演算する色域演算手段を含み、
前記マトリクス生成手段は、前記表示可能色域が、前記目標色の色域を示す目標色域より広い場合、前記目標色域より狭い場合、前記目標色域と一致する場合、前記目標色域と重なる部分と重ならない部分とがある場合のそれぞれの場合において、異なる変換用マトリクスを生成してもよい。
【００２２】
（１０）また、前記情報記憶媒体は、前記画像特性に基づく色域である目標色域を演算するとともに、前記環境情報に基づき、前記視環境において前記画像表示手段で表示可能な色域である表示可能色域を演算する色域演算手段としてコンピュータを機能させるためのプログラムを記憶し、
前記マトリクス生成手段は、前記表示可能色域が、前記目標色域より広い場合、前記目標色域より狭い場合、前記目標色域と一致する場合、前記目標色域と重なる部分と重ならない部分とがある場合のそれぞれの場合において、異なる変換用マトリクスを生成してもよい。
【００２３】
（１１）また、前記変換用マトリクスを生成する場合、前記画像特性に基づく色域である目標色域を演算するとともに、前記環境情報に基づき、前記視環境において前記画像表示手段で表示可能な色域である表示可能色域を演算し、
前記表示可能色域が、前記目標色域より広い場合、前記目標色域より狭い場合、前記目標色域と一致する場合、前記目標色域と重なる部分と重ならない部分とがある場合のそれぞれの場合において、異なる変換用マトリクスを生成してもよい。
【００２４】
視環境や画像特性により、画像特性に基づく色域と、前記画像表示手段で表示可能な色域との関係は異なる。このため、単独の変換用マトリクスのみを用いて画像情報を変換する手法では画像の色の見えを適切に再現できない。
【００２５】
本発明によれば、画像表示システム等は、上記の４つに場合分けして、それぞれの場合に応じた変換用マトリクスを生成することにより、画像をより適切に再現することができる。
【００２６】
（１２）また、前記画像表示システム、前記プロジェクタおよび前記情報記憶媒体において、前記マトリクス生成手段は、前記表示可能色域が、前記目標色域より狭い場合および前記目標色域と重なる部分と重ならない部分とがある場合、色相の再現性または色域の再現性を重視した変換用マトリクスを生成してもよい。
【００２７】
（１３）また、前記変換用マトリクスを生成する場合、前記表示可能色域が、前記目標色域より狭い場合および前記目標色域と重なる部分と重ならない部分とがある場合、色相の再現性または色域の再現性を重視した変換用マトリクスを生成してもよい。
【００２８】
これによれば、画像表示システム等は、色相や色域の再現性を重視した変換用マトリクスを生成することにより、より適切に画像の色の見えを再現できる。
【００２９】
（１４）また、前記画像処理方法において、前記画像情報の補正に先立って、キャリブレーション画像を生成し、
生成されたキャリブレーション画像を前記表示領域に表示し、
前記キャリブレーション画像の表示された表示領域における視環境を把握し、前記環境情報を生成してもよい。
【００３０】
これによれば、画像表示システム等は、キャリブレーション画像を用いて、視環境の把握を行うことにより、より適切に視環境を把握することができる。したがって、画像の色の見えをより適切に再現することができる。
【００３１】
【発明を実施するための最良の形態】
以下、本発明を、液晶プロジェクタを用いた画像表示システムに適用した場合を例に採り、図面を参照しつつ説明する。なお、以下に示す実施形態は、特許請求の範囲に記載された発明の内容を何ら限定するものではない。また、以下の実施形態に示す構成の全てが、特許請求の範囲に記載された発明の解決手段として必須であるとは限らない。
【００３２】
（システム全体の説明）
図１は、本実施の形態の一例に係る画像表示システムの概略説明図である。
【００３３】
スクリーン１０のほぼ正面に設けられた投写型表示装置の一種であるプロジェクタ２０は、所定のプレゼンテーション用の画像を投写する。プレゼンター３０は、スクリーン１０上の表示領域である画像表示領域１２の画像の所望の位置をレーザーポインタ５０から投射したスポット光７０で指し示しながら、第三者に対するプレゼンテーションを行う。
【００３４】
このようなプレゼンテーションを行う場合、スクリーン１０の種別や、環境光８０によって画像表示領域１２の画像の見え方は大きく異なってしまう。例えば、プロジェクタ２０が、同じ白を表示する場合であっても、スクリーン１０の種別によっては、黄色がかった白に見えたり、青色がかった白に見えたりする。また、プロジェクタ２０が、同じ白を表示する場合であっても、環境光８０が異なれば、明るい白に見えたり、暗い白に見えたりする。
【００３５】
また、近年、プロジェクタ２０は小型化が進み、持ち運びも容易になっている。このため、例えば、客先においてプレゼンテーションを行う場合もあり得るが、客先の環境に合わせてプレゼンター等が色を事前に調整することは困難であり、プレゼンター等が客先で色を手動で調整するには時間がかかりすぎる。
【００３６】
従来のプロジェクタでは、プロジェクタ固有の入出力特性を示す入出力用プロファイルに基づき、色の変換を行っているだけであり、画像の投写される視環境は考慮されていない。なお、プロファイルとは、特性データという意味である。
【００３７】
しかし、上述したように、視環境を考慮しなければ、画像の色の見え方を統一することは困難である。色の見え方は、光、対象の光の反射または透過、視覚の３つの要因で決定する。
【００３８】
本実施の形態では、画像表示システムが、ユーザーによって設定された目標色または規定の目標色と、光および対象の光の反射または透過を反映した視環境を把握することにより、適切な画像の色の見えを再現できる画像表示システムを実現している。
【００３９】
具体的には、図１に示すように、視環境を把握する視環境把握手段として機能する色光センサー６０を設ける。そして、プロジェクタ２０は、色光センサー６０からの環境情報を入力する。色光センサー６０は、具体的には、スクリーン１０内の画像表示領域１２の環境情報（より具体的にはＲＧＢまたはＸＹＺの三刺激値）を計測する。
【００４０】
プロジェクタ２０は、色光センサー６０からの環境情報、ユーザーの画像表示方式等の選択情報等に基づき、変換用マトリクスを生成し、当該変換用マトリクスを用いて、画像表示に用いられる画像情報を変換する変換手段を含む。
【００４１】
プロジェクタ２０が環境情報に基づいて視環境を把握することにより、適切な画像の色の見えを再現できる画像表示システムを実現している。
【００４２】
また、本実施の形態では、プロジェクタ２０がプレゼンテーション開始直前の視環境下で環境情報に基づいて目標色情報を補正することにより、より適切な画像の色の見えを再現している。
【００４３】
（順応変移の説明）
図２は、順応変移の模式図である。
【００４４】
大田登著『色彩工学』（東京電気大学出版局１９９３年発行）の１８４ページ〜１８５ページに記載されているように、観察者は、昼光（図２のＤ点）で照らされた屋外から白熱電球照明光（図２のＡ点）で照らされた屋内に入ると、最初は白熱電球で照明されているすべての物体が黄色を帯びて見え、白熱電球照明光に目が慣れてくると、最初は黄味を帯びて見えた白色にも白色感覚が戻ってくる。
【００４５】
最初の黄色を帯びて見える色度点の変化（ＳD−＞ＳA）は測色変移または照明光変移と呼ばれる。また、上記の感覚の変化（ＳA−＞ＳD’）は順応変移と呼ばれる。
【００４６】
そして、観察者は、目が十分に白熱電球照明光に順応すると、測色変移と順応変移とが総合された色の変化（ＳD−＞ＳD’）を感じることになる。この変化は総合変移と呼ばれる。したがって、ＳDの見えと等価な色は、ＳAとは総合変移に相当する分だけ異なる色ＳA’となる。
【００４７】
以上のように、画像表示システムは、測色変移と順応変移とを把握すれば、特定の視環境下で等価な色の見えを再現することができる。
【００４８】
測色変移は、例えば、視環境下における画像の輝度値に基づいて把握することができるが、順応変移は人間の目の慣れに関するものであり、厳密に把握することは困難である。
【００４９】
本実施の形態では、照明光等のある視環境下（明室）におけるプロジェクタ２０の表示可能色域の面積と暗室条件におけるプロジェクタ２０の表示可能色域の面積とに基づいて順応変移を把握している。
【００５０】
図３は、明室と暗室でのプロジェクタ２０の表示可能色域を示す模式図である。
【００５１】
図３に示すように、ｘｙ色度図において、暗室条件におけるプロジェクタ２０の表示可能色域ＲＧＢの面積Ｓ１は、明室条件におけるプロジェクタ２０の表示可能色域Ｒ’Ｇ’Ｂ’の面積Ｓ２に比べて大きい。これは、明室条件では照明光等の影響を受けてしまうためである。
【００５２】
本実施の形態では、画像表示システムは、上記のＳ２／Ｓ１を用いて順応変移を把握する。なお、本発明者は、実験により、上記のＳ２／Ｓ１を用いて順応変移を把握すれば、画像の色の見えを適切に再現できるという知見を得ている。
【００５３】
さらに、本実施の形態では、画像表示システムは、プレゼンテーション実行時の視環境下でプロジェクタ２０で表示可能な表示可能色域を演算するとともに、ユーザーによって選択された画像表示方式での目標色域を演算して求めている。そして、画像表示システムは、求めた表示可能色域と目標色域とを比較して目標色域にできるだけ近い色をプロジェクタ２０で表示できるように画像処理を行っている。
【００５４】
（目標色域と表示可能色域との関係の説明）
図４Ａは、目標色域と表示可能色域とが一致する場合を示し、図４Ｂは、目標色域より表示可能色域のほうが広い場合を示す模式図である。また、図５Ａは、目標色域より表示可能色域のほうが狭い場合を示し、図５Ｂは、目標色域が表示可能色域と重なる部分と重ならない部分とがある場合を示す模式図である。
【００５５】
図４Ａ〜図５Ｂにおいて、実線が目標色域を示し、破線が表示可能色域を示す。また、三角形状の各色域の各頂点から三角形の中心部に向かっている線の交点は白色点である。
【００５６】
画像特性と視環境という２つの変動要因があるため、目標色域と表示可能色域との関係は固定的なものではなく、図４Ａ〜図５Ｂに示す４つのパターンに大別される変動的なものである。
【００５７】
これらの４つのパターンのうちどれに該当するかにより、画像情報の変換の手法が若干異なる。例えば、図４Ａおよび図４Ｂに示す場合のように、表示可能色域が目標色域の全部をカバーしている場合、画像表示システムは、通常の変換手法を用いた場合でも、目標とされる画像を適切に再現できる。
【００５８】
しかし、図５Ａおよび図５Ｂに示す場合のように、表示可能色域が目標色域の全部をカバーしていない場合、画像表示システムは、通常の変換手法では、目標とされる画像を適切に再現できない。
【００５９】
このような場合、画像表示システムは、表示可能色域外部の目標色域の色を目標色域内部の色と対応付ける色域マッピング（色域圧縮という場合もある。）を行う必要がある。
【００６０】
本実施の形態では、画像表示システムは、色域マッピングの手法として、色域を優先させる手法と、色相を優先させる手法のどちらか一方を用いる。
【００６１】
図６Ａは、色域優先時のマッピング色域を示し、図６Ｂは、色相優先時のマッピング色域を示す模式図である。
【００６２】
図６Ａおよび図６Ｂにおいて、破線が表示可能色域を示し、２点鎖線が目標色域を示す。また、図６Ａおよび図６Ｂは、図５Ｂに示す目標色域と表示可能色域とが一部重なる場合での色域マッピングの例を示す。
【００６３】
例えば、図６Ａに示すように、目標色域の頂点Ｄは、表示可能色域ＡＢＣの内部にあるが、目標色域の頂点Ｅおよび頂点Ｆは、表示可能色域ＡＢＣの外部にある。このため、画像表示システムは、頂点Ｅおよび頂点Ｆ近辺の色をこのままでは再現できないことになる。
【００６４】
そこで、画像表示システムは、再現できない色の表示要求があった場合にできるだけ近い色で再現するため、色域マッピングを行う。
【００６５】
本実施の形態では、画像表示システムは、色域または色相を優先して色域マッピングを行う。
【００６６】
例えば、画像表意システムは、色域を優先する場合、図６Ａに示すように、三角形ＤＥＦと三角形ＡＢＣの交点のうち、頂点Ｅにできるだけ近い点Ｈと、頂点Ｆにできるだけ近い点Ｉを求める。なお、頂点Ｄは、三角形ＡＢＣ内部にあるので、画像表示システムは、頂点Ｄを新たな色域の頂点Ｇとしてそのまま適用できる。
【００６７】
このようにして求められた三角形ＧＨＩが色域を優先した場合、すなわち、できるだけマッピング色域が広くなるように考慮した場合のマッピング色域となる。
【００６８】
また、例えば、色相を優先する場合、画像表示システムは、図６Ｂに示すように、三角形ＤＥＦの頂点から白色点Ｙに向かう線分と、三角形ＡＢＣの各辺との交点Ｋ、Ｌを求める。なお、頂点Ｄは、三角形ＡＢＣ内部にあるので、画像表示システムは、頂点Ｄを新たな色域の頂点Ｊとしてそのまま適用できる。
【００６９】
このようにして求められた三角形ＪＫＬが色相を優先した場合、すなわち、できるだけ正確に色相を再現できるように考慮した場合のマッピング色域となる。色には、明度、彩度、色相という三属性がある。このうち、人間の目は、色相を最も敏感に感じる。したがって、画像表示システムは、色相を優先してマッピング色域を求めることにより、より目標色域に近い色をプロジェクタ２０を用いて再現することができる。
【００７０】
また、画像表示システムは、図４Ａおよび図４Ｂに示す場合のマッピング色域として、目標色域をそのまま適用できる。
【００７１】
本実施の形態では、画像表示システムは、以上のようにして決定したマッピング色域を再現できるように、画像情報を変換するための変換用マトリクスを生成し、生成した変換用マトリクスを用いて画像情報を変換する。
【００７２】
（機能ブロックの説明）
次に、これらの機能を実現するためのプロジェクタ２０のプロジェクタ画像処理部の機能ブロックについて説明する。
【００７３】
図７は、本実施形態の一例に係るプロジェクタ２０内のプロジェクタ画像処理部１００の機能ブロック図である。
【００７４】
プロジェクタ２０は、Ａ／Ｄ変換部１１０と、プロジェクタ画像処理部１００と、Ｄ／Ａ変換部１８０と、画像投写部１９０とを含んで構成されている。
【００７５】
プロジェクタ２０は、ＰＣ等から送られるアナログ形式のＲＧＢ信号を構成するＲ１信号、Ｇ１信号、Ｂ１信号をＡ／Ｄ変換部１１０に入力し、デジタル形式のＲ２信号、Ｇ２信号、Ｂ２信号を、ＣＰＵ２００によって制御されるプロジェクタ画像処理部１００で色変換を行っている。
【００７６】
そして、プロジェクタ２０は、色変換したＲ３信号、Ｇ３信号、Ｂ３信号をＤ／Ａ変換部１８０に入力し、アナログ変換されたＲ４信号、Ｇ４信号、Ｂ４信号を、画像表示手段の一部である画像投写部１９０に入力して画像の投写を行っている。
【００７７】
プロジェクタ画像処理部１００は、プロジェクタ色変換部１２０と、キャリブレーション信号発生部１５０と、色域演算部１６０と、目標プロファイル記憶部１６２と、プロジェクタプロファイル記憶部１６４と、目標プロファイル補正部１６６とを含んで構成されている。
【００７８】
キャリブレーション信号発生部１５０は、キャリブレーション画像信号を生成する。プロジェクタ色変換部１２０は、キャリブレーション画像信号を、Ａ／Ｄ変換部１１０から出力される信号と同様に、デジタル形式のＲ２信号、Ｇ２信号、Ｂ２信号として入力される。
【００７９】
このように、画像表示システムは、キャリブレーション画像信号をプロジェクタ２０の内部で生成するため、ＰＣ等の外部入力装置からキャリブレーション画像信号をプロジェクタ２０に入力することなく、プロジェクタ２０単体でキャリブレーションを行うことができる。
【００８０】
また、プロジェクタ色変換部１２０は、キャリブレーション信号発生部１５０からのＲＧＢの各デジタル信号（Ｒ２信号、Ｇ２信号、Ｂ２信号）を、プロジェクタプロファイル記憶部１６４が管理しているプロジェクタプロファイルを参照し、プロジェクタ出力に適したＲＧＢデジタル信号（Ｒ３信号、Ｇ３信号、Ｂ３信号）に変換する。
【００８１】
また、プロジェクタ色変換部１２０は、画像情報である各デジタル信号（Ｒ２信号、Ｇ２信号、Ｂ２信号）を変換するための変換用マトリクスを生成するマトリクス生成部１２２と、生成された変換用マトリクスを用いて画像情報を変換するマトリクス変換部１２４とを含んで構成されている。
【００８２】
マトリクス生成部１２２は、より具体的には、色域演算部１６０で演算されたマッピング色域を再現できるように変換用マトリクスを生成する。
【００８３】
また、色域演算部１６０は、ユーザーによって選択された目標プロファイル（目標色情報）、色光センサー６０からの環境情報、プロジェクタプロファイルに基づき、ユーザーが選択した好みの色であって、かつ、視環境に適合した画像の色の見えになるように、図４Ａ〜図６Ｂを用いて説明したマッピング色域を演算する。
【００８４】
また、目標プロファイル記憶部１６２は、目標プロファイルを記憶し、プロジェクタプロファイル記憶部１６４は、プロジェクタプロファイルを記憶している。
【００８５】
なお、ここで、目標プロファイルとは、目標とすべき色の入出力特性データの一種である。目標プロファイルとして、ユーザーが選択可能な複数種の画像特性に対応して複数種のプロファイルが設けられる。また、プロジェクタプロファイルとは、プロジェクタ２０の機種に対応した入出力特性データの一種である。
【００８６】
また、目標プロファイル補正部１６６は、目標色情報補正手段として機能し、目標プロファイル記憶部１６２に記憶された目標色プロファイルを、色光センサー６０からの環境情報に基づいて補正する。
【００８７】
また、画像投写部１９０は、空間光変調器１９２と、Ｄ／Ａ変換部１８０からのＲ４信号、Ｇ４信号、Ｂ４信号に基づき、空間光変調器１９２を駆動する駆動部１９４と、空間光変調器１９２に光を出力する光源１９６と、空間光変調器１９２で変調された光を投写するレンズ１９８とを含んで構成されている。
【００８８】
画像投写部１９０は、Ｒ４信号、Ｇ４信号、Ｂ４信号に基づいて画像を投写する。
【００８９】
（画像処理の流れの説明）
次に、これらの各部を用いた画像処理の流れについてフローチャートを用いて説明する。
【００９０】
図８は、本実施形態の一例に係る画像処理の手順を示すフローチャートである。
【００９１】
まず、プレゼンテーションが行われる前に、プロジェクタ２０のユーザーは、プロジェクタ２０の操作ボタンに割り当てられた複数種の画像特性から１つの画像特性を選択する。具体的には、例えば、プロジェクタ２０の外面にＮＴＳＣ、ＰＡＬ、ＳＥＣＡＭ等の画像特性の選択用ボタンを設け、画像表示システムは、ユーザーに選択用ボタンを押させ、１つの画像特性を選択させる。
【００９２】
プロジェクタ画像処理部１００は、この選択情報を受信する。プロジェクタ画像処理部１００は、当該選択情報に基づき、目標プロファイル記憶部１６２の複数の目標プロファイルから選択された目標プロファイルのフラグをＯＮにする。
【００９３】
このようにして、プロジェクタ画像処理部１００は、ユーザーの選択に応じて目標プロファイルを決定する。
【００９４】
そして、プロジェクタ２０は、視環境に応じて当該目標プロファイルを補正することにより、視環境に適合した目標プロファイルを生成する（ステップＳ２）。
【００９５】
ここで、目標プロファイル生成処理（ステップＳ２）について説明する。
【００９６】
図９は、本実施形態の一例に係る目標プロファイル生成処理の手順を示すフローチャートである。
【００９７】
プロジェクタ２０は、ユーザーの選択に応じて目標プロファイルを選択した後、キャリブレーション信号発生部１５０からキャリブレーション信号（Ｒ２、Ｇ２、Ｂ２）を発生させる。
【００９８】
キャリブレーション信号発生部１５０は、当該キャリブレーション信号をプロジェクタ色変換部１２０に出力する。
【００９９】
プロジェクタ色変換部１２０は、デフォルト（初期状態）の変換用マトリクスを用いて、キャリブレーション信号を変換し、デジタルＲＧＢ信号（Ｒ３、Ｇ３、Ｂ３）として出力する。
【０１００】
そして、Ｄ／Ａ変換部１８０は、デジタルＲＧＢ信号をアナログＲＧＢ信号（Ｒ４、Ｇ４、Ｂ４）に変換する。そして、駆動部１９４は、アナログＲＧＢ信号（Ｒ４、Ｇ４、Ｂ４）に基づき、空間光変調器１９２を駆動する。そして、画像投写部１９０は、光源１９６からの光を、空間光変調器１９２、レンズ１９８を介して投写する。このようにして、プロジェクタ２０は、キャリブレーション画像を画像表示領域１２に投写する（ステップＳ１２）。
【０１０１】
画像表示領域１２にキャリブレーション画像が表示された状態で、色光センサー６０は、視環境を把握するために三刺激値を検出して環境情報として色域演算部１６０および目標プロファイル補正部１６６に出力する（ステップＳ１４）。これにより、色域演算部１６０および目標プロファイル補正部１６６は、視環境を把握することができる。
【０１０２】
このように、プロジェクタ２０は、キャリブレーション画像を用いて、視環境の把握を行うことにより、より適切に視環境を把握し、画像の色の見えをより適切に再現することができる。
【０１０３】
そして、目標プロファイル補正部１６６は、色光センサー６０からの環境情報に基づいて目標プロファイルを補正する（ステップＳ１６）。
【０１０４】
本実施の形態では、赤、緑、青、白、黒色のそれぞれのキャリブレーション画像は、下記信号値で定義される。
【０１０５】
赤：（Ｒ２、Ｇ２、Ｂ２）＝（２５５、０、０）
緑：（Ｒ２、Ｇ２、Ｂ２）＝（０、２５５、０）
青：（Ｒ２、Ｇ２、Ｂ２）＝（０、０、２５５）
白：（Ｒ２、Ｇ２、Ｂ２）＝（２５５、２５５、２５５）
黒：（Ｒ２、Ｇ２、Ｂ２）＝（０、０、０）
【０１０６】
目標プロファイルは、ＲＧＢの信号値と、標準的な色空間（例えばＣＩＥＸＹＺ空間）の座標とを対応付ける機能を有する。例えば、ＲＧＢの信号値で表される空間と標準的な色空間とが線形変換で対応付けられる場合には、式１のマトリクス演算におけるマトリクスＭｔが目標プロファイルとして機能し得る。
【０１０７】
【数１】
0004110408.tif 000002
【０１０８】
Ｍｔは３行３列の行列である。また、ＲＧＢの信号値毎に、それに対応付けられたＸＹＺ値を記憶するルックアップテーブル（Ｌｏｏｋ Ｕｐ Ｔａｂｌｅ：ＬＵＴ）も、目標プロファイルとして機能し得る。
【０１０９】
色光センサー６０は、所定のキャリブレーション画像信号に基づいて表示されている画像（キャリブレーション画像）について、スクリーン上での三刺激値（Ｘｃ、Ｙｃ、Ｚｃ）を求め、それを目標プロファイル補正部１６６に与える。目標プロファイル補正部１６６は、その三刺激値から、下式に基づいて色度座標Ｗｃ＝（ｘｃ、ｙｃ）を算出する。
【０１１０】
【数２】
0004110408.tif 000003
【０１１１】
そして、そのキャリブレーション画像について、目標プロファイル補正部１６６は、測色変移パラメータＰ１を式３に基づき導出する。なお、そのキャリブレーション画像について、補正前の目標プロファイルによって定義されている色度座標をＷ＝（ｘ，ｙ）と表記している。
【０１１２】
【数３】
0004110408.tif 000004
【０１１３】
また、補正前の目標プロファイルによって定義される色域の大きさをＳ１とし、視環境下で表現できる色域の大きさをＳ２として、目標プロファイル補正部１６６は、式４に基づいて、順応変移パラメータＰ２を求める。
【０１１４】
【数４】
0004110408.tif 000005
【０１１５】
目標プロファイル補正部１６６は、上記パラメータＰ１およびＰ２を用いて、式５で示すように所定のキャリブレーション画像の色度座標Ｗｃ＝（ｘｃ，ｙｃ）を変換して、変換後の色度座標Ｗ’＝（ｘ’，ｙ’）を得る。そして、上記座標W’に基づいて、式６に従って、補正後の三刺激値（Ｘ’、Ｙ’、Ｚ’）を導出する。
【０１１６】
【数５】
0004110408.tif 000006
【０１１７】
【数６】
0004110408.tif 000007
【０１１８】
ただし、Ｙ’＝１００またはＹである。
【０１１９】
この結果、入力（Ｒ２、Ｇ２、Ｂ２）が新しい（Ｘ’、Ｙ’、Ｚ’）に対応付けられる。目標プロファイル補正部１６６は、この処理を複数のキャリブレーション画像について行うことで、新しい目標プロファイル、つまり補正された目標プロファイルを得る。
【０１２０】
順応変移パラメータＰ２は、補正前の目標プロファイルによって定義される色域面積Ｓ１と、視環境下で再現できる色域面積Ｓ２との比に比例したパラメータ、あるいはその比の累乗に比例したパラメータであればよく、Ｐ２＝Ｓ２／Ｓ１としてもよい。
【０１２１】
なお色域面積は、表示されている赤、緑、青のそれぞれのキャリブレーション画像に対応するそれぞれの色度座標に基づいて導出される。
【０１２２】
そして、プロジェクタ色変換部１２０は、把握された視環境に基づき、変換用マトリクスを生成し、当該変換用マトリクスを用いて画像情報を変換する（ステップＳ４）。
【０１２３】
ここで、このマトリクス生成変換処理（ステップＳ４）についてより具体的に説明する。
【０１２４】
図１０は、本実施形態の一例に係るマトリクス生成変換処理の手順を示すフローチャートである。
【０１２５】
色域演算部１６０は、目標プロファイル記憶部１６２からの補正後の目標プロファイルに基づき、目標色域を演算して求める。また、色域演算部１６０は、プロジェクタプロファイル記憶部１６４に記憶されたプロジェクタプロファイルおよび色光センサー６０で検出された三刺激値に基づき、プロジェクタ２０の表示可能色域を演算して求める（ステップＳ２２）。
【０１２６】
そして、色域演算部１６０は、表示可能色域を目標色域と比較する。
【０１２７】
まず、表示可能色域が目標色域と一致する場合、すなわち、図４Ｂに示す場合（ステップＳ２４）、マトリクス生成部１２２は、図４Ｂの実線の三角形のマッピング色域を再現できるように、変換用マトリクスを生成する（ステップＳ２６）。
【０１２８】
また、表示可能色域が目標色域より広い場合、すなわち、図４Ａに示す場合（ステップＳ２８）、マトリクス生成部１２２は、図４Ａの実線の三角形のマッピング色域を再現できるように、変換用マトリクスを生成する（ステップＳ３０）。
【０１２９】
また、表示可能色域が目標色域より狭い場合、すなわち、図５Ａに示す場合（ステップＳ３２）、マトリクス生成部１２２は、図６Ａまたは図６Ｂに示す色域や色相の再現を優先したマッピング色域を再現できるように、変換用マトリクスを生成する（ステップＳ３４）。
【０１３０】
また、上記の３パターン（ステップＳ２４、Ｓ２８、Ｓ３２）以外の場合は、表示可能色域が目標色域と重なる部分と重ならない部分がある場合、すなわち、図５Ｂに示す場合である。この場合、マトリクス生成部１２２は、図６Ａまたは図６Ｂに示す色域や色相の再現を優先したマッピング色域を再現できるように、変換用マトリクスを生成する（ステップＳ３６）。
【０１３１】
なお、マトリクス生成（ステップＳ２６、Ｓ３０、Ｓ３４、Ｓ３６）で生成される変換用マトリクスはすべて異なるものである。
【０１３２】
そして、マトリクス変換部１２４は、マトリクス生成部１２２によって生成された変換用マトリクスを用いて色変換（画像情報の変換）を行う（ステップＳ３８）。より具体的には、マトリクス変換部１２４は、３行３列の変換用マトリクスを用いてデジタルＲＧＢ信号（Ｒ２、Ｇ２、Ｂ２）を変換し、デジタルＲＧＢ信号（Ｒ３、Ｇ３、Ｂ３）として出力する。
【０１３３】
これを数式で表すと、（Ｒ３、Ｇ３、Ｂ３）＝Ｍ（Ｒ２、Ｇ２、Ｂ２）となる。ここで、Ｍは、変換用マトリクスである。
【０１３４】
プロジェクタ２０は、変換されたデジタルＲＧＢ信号（Ｒ３、Ｇ３、Ｂ３）をＤ／Ａ変換部１８０を用いてＤ／Ａ変換し、変換されたアナログＲＧＢ信号（Ｒ４、Ｇ４、Ｂ４）を用いて実際のプレゼンテーション画像を表示する（ステップＳ６）。
【０１３５】
以上のように、本実施の形態によれば、プロジェクタ２０は、環境情報および順応変移情報に基づき、目標色情報を補正することにより、視環境と順応変移とに適合した目標色情報を色の変換に適用することができる。これにより、プロジェクタ２０は、目標色に適合した画像の色の見えを再現することができる。
【０１３６】
特に、照明光等の影響を反映したプロジェクタ２０は、表示可能な色域の面積の比に基づいて順応変移を擬似的に把握することにより、目標色情報の補正をより短時間に行うことができる。
【０１３７】
また、本実施の形態によれば、プロジェクタ２０は、ユーザーが選択した画像特性とに適合した画像を表示できるように、変換用マトリクスを用いて画像情報を変換する。
【０１３８】
これにより、ユーザーの好みに適合した画像を表示できる画像表示システムを実現することができる。
【０１３９】
また、本実施の形態では、プロジェクタ２０は、色光センサー６０を用いて視環境を把握することにより、視環境を考慮して画像を投写している。
【０１４０】
これにより、プロジェクタ２０は、画像表示時の視環境に適応して画像を表示することができ、表示環境の差を吸収して適用される環境によらずに同一の画像を表示することができる。したがって、プロジェクタ２０は、複数の異なる場所において、ほぼ同一の色を短時間で再現することができる。
【０１４１】
さらに、本実施の形態では、プロジェクタ２０は、ＬＵＴではなく、変換用マトリクスを用いて画像情報を変換することにより、より高速に画像情報を変換することができ、かつ、記憶領域の占有量も少なくて済む。
【０１４２】
また、本実施の形態では、プロジェクタ２０は、変換用マトリクスを生成する際に、表示可能色域と目標色域との関係によって４パターンに場合分けして、それぞれの場合に応じた変換用マトリクスを生成している。
【０１４３】
プロジェクタ２０が適用される環境や、ユーザーによる画像特性の選択によって表示可能色域と目標色域との関係は異なる。このため、プロジェクタ２０は、表示可能色域と目標色域との関係に応じた適切な変換用マトリクスを生成する必要がある。
【０１４４】
本実施の形態では、プロジェクタ２０は、想定される４パターンに応じた変換用マトリクスを生成することにより、適切な変換用マトリクスを生成することができる。
【０１４５】
なお、図４Ａおよび図４Ｂに示すパターンの場合、プロジェクタ２０は、目標色域をほぼそのままマッピング色域として適用できるため、図５Ａおよび図５Ｂに示す色域マッピングが必要な場合と比べ、高速に変換用マトリクスを生成することができる。
【０１４６】
また、図５Ａおよび図５Ｂに示す色域マッピングが必要な場合、プロジェクタ２０は、色相の再現性または色域の再現性を重視した変換用マトリクスを用いることにより、明度や彩度の再現性を重視した変換用マトリクスを用いる場合と比べ、より適切に画像を再現できる。
【０１４７】
（ハードウェアの説明）
なお、上述した各部に用いるハードウェアとしては、例えば、以下のものを適用できる。
【０１４８】
図１１は、本実施形態の一例に係るプロジェクタ内の画像処理部のハードウェアブロック図である。
【０１４９】
例えば、Ａ／Ｄ変換部１１０としては、例えばＡ／Ｄコンバーター５３０等、Ｄ／Ａ変換部１８０としては、例えばＤ／Ａコンバーター５４０等、空間光変調器としては、例えば図示しない液晶パネル等、駆動部１９４としては、例えば液晶ライトバルブ駆動ドライバを記憶したＲＡＭ５５０等、プロジェクタ色変換部１２０としては、例えば画像処理回路５７０等、キャリブレーション信号発生部１５０としては、例えば画像生成回路５１０等、色域演算部１６０および目標プロファイル補正部１６６としては、例えばＣＰＵ２００やＲＡＭ５５０等、目標プロファイル記憶部１６２としては、例えばＲＡＭ５５０等、プロジェクタプロファイル記憶部１６４としては、例えばＲＯＭ５６０等を用いて実現できる。なお、これらの各部はシステムバス５８０を介して相互に情報をやりとりできるように構成されている。また、これら各部は回路のようにハードウェア的に実現してもよいし、ドライバのようにソフトウェア的に実現してもよい。
【０１５０】
また、図７に示すように、プロジェクタ２０は、これら各部の機能を情報記憶媒体３００からプログラムを読み取って実現してもよい。情報記憶媒体３００としては、例えば、ＣＤ−ＲＯＭ、ＤＶＤ−ＲＯＭ、ＲＯＭ、ＲＡＭ、ＨＤＤ等を適用でき、その情報の読み取り方式は接触方式であっても、非接触方式であってもよい。
【０１５１】
また、プロジェクタ２０は、情報記憶媒体３００に代えて、上述した各機能を実現するためのプログラムを、伝送路を介してホスト装置等からダウンロードすることによって上述した各機能を実現することも可能である。
【０１５２】
さらに、色光センサー６０については以下のハードウェアを適用できる。
【０１５３】
例えば、各刺激値を選択的に透過するカラーフィルターおよびフォトダイオード、フォトダイオードからのアナログ信号をデジタル信号に変換するＡ／Ｄコンバーターおよび当該デジタル信号を増幅するＯＰアンプ等を適用できる。
【０１５４】
以上、本発明を適用した好適な実施の形態について説明してきたが、本発明の適用は上述した実施例に限定されない。
【０１５５】
（変形例）
例えば、上述した目標プロファイルとしては、ＮＴＳＣ等の画像表示方式以外にも、例えば、ＲＧＢ、ｓＲＧＢ等の画像種別等の画像特性を適用してもよい。
【０１５６】
また、視環境把握手段としては、色光センサー６０以外にも、例えば、ＣＣＤカメラ、ＣＭＯＳカメラ等の撮像手段を適用することも可能である。
【０１５７】
なお、上述したスクリーン１０は、反射型のものであったが、透過型のものであってもよい。
【０１５８】
さらに、上述した変換用マトリクスは単独のマトリクスであったが、複数のマトリクスを組み合わせて色変換を行ってもよい。例えば、出力装置に応じた逆変換マトリクスと、環境情報を反映した環境補正マトリクスとを組み合わせて色変換を行ってもよい。
【０１５９】
また、上述したプロジェクタのような投写型画像表示装置以外の表示手段で画像表示を行ってプレゼンテーション等を行う場合にも本発明を適用できる。このような表示手段としては、例えば、液晶プロジェクタのほか、ＣＲＴ（Ｃａｔｈｏｄｅ  Ｒａｙ  Ｔｕｂｅ）、ＰＤＰ（Ｐｌａｓｍａ  Ｄｉｓｐｌａｙ  Ｐａｎｅｌ）、ＦＥＤ（Ｆｉｅｌｄ  Ｅｍｉｓｓｉｏｎ  Ｄｉｓｐｌａｙ）、ＥＬ（Ｅｌｅｃｔｒｏ  Ｌｕｍｉｎｅｓｃｅｎｃｅ）、直視型液晶表示装置等のディスプレイ装置、ＤＭＤ（Ｄｉｇｉｔａｌ  Ｍｉｃｒｏｍｉｒｒｏｒ  Ｄｅｖｉｃｅ）を用いたプロジェクタ等が該当する。なお、ＤＭＤは米国テキサスインスツルメンツ社の商標である。また、プロジェクタは前面投写型のものに限られず、背面投写型のものであってもよい。
【０１６０】
また、プレゼンテーション以外にも、ミーティング、医療、デザイン・ファッション分野、営業活動、コマーシャル、教育、さらには映画、ＴＶ、ビデオ、ゲーム等の一般映像等における画像表示を行う場合にも本発明は有効である。
【０１６１】
なお、上述したプロジェクタ２０のプロジェクタ画像処理部１００の機能は、単体の画像表示装置（例えば、プロジェクタ２０）で実現してもよいし、複数の処理装置で分散して（例えば、プロジェクタ２０とＰＣとで分散処理）実現してもよい。
【０１６２】
さらに、プロジェクタ２０と色光センサー６０とを、別の装置として構成してもよいし、一体化された装置として構成してもよい。
【図面の簡単な説明】
【図１】図１は、本実施形態の一例に係る画像表示システムの概略説明図である。
【図２】図２は、順応変移の模式図である。
【図３】図３は、明室と暗室でのプロジェクタの表示可能色域を示す模式図である。
【図４】図４Ａは、目標色域と表示可能色域とが一致する場合を示し、図４Ｂは、目標色域より表示可能色域のほうが広い場合を示す模式図である。
【図５】図５Ａは、目標色域より表示可能色域のほうが狭い場合を示し、図５Ｂは、目標色域が表示可能色域と重なる部分と重ならない部分とがある場合を示す模式図である。
【図６】図６Ａは、色域優先時の色域を示し、図６Ｂは、色相優先時の色域を示す模式図である。
【図７】図７は、本実施形態の一例に係るプロジェクタ内のプロジェクタ画像処理部の機能ブロック図である。
【図８】図８は、本実施形態の一例に係る画像処理の手順を示すフローチャートである。
【図９】図９は、本実施形態の一例に係る目標プロファイル生成処理の手順を示すフローチャートである。
【図１０】図１０は、本実施形態の一例に係るマトリクス生成変換処理の手順を示すフローチャートである。
【図１１】図１１は、本実施形態の一例に係るプロジェクタ内の画像処理部のハードウェアブロック図である。
【図１】
0004110408.tif 000008
【図２】
0004110408.tif 000009
【図３】
0004110408.tif 000010
【図４Ａ】
0004110408.tif 000011
【図４Ｂ】
0004110408.tif 000012
【図５Ａ】
0004110408.tif 000013
【図５Ｂ】
0004110408.tif 000014
【図６Ａ】
0004110408.tif 000015
【図６Ｂ】
0004110408.tif 000016
【図７】
0004110408.tif 000017
【図８】
0004110408.tif 000018
【図９】
0004110408.tif 000019
【図１０】
0004110408.tif 000020
【図１１】
0004110408.tif 000021